(57)【要約】  基本サービスセット（ＢＳＳ）候補またはアクセスポイント（ＡＰ）候補のリストは、無線送受信ユニット（ＷＴＲＵ）で受信されるメディアアクセス制御（ＭＡＣ）メッセージに含まれる。このリストは、ＢＳＳまたはＡＰの各候補の識別と、ＢＳＳまたはＡＰの候補が選択に好ましい範囲、およびＢＳＳまたはＡＰの候補が選択に考慮されるべきではないかどうかを示す選好インジケータとを含む。ＢＳＳまたはＡＰは、リストを使用して、ＷＴＲＵによって選択される。
2008541626.tif 000002
【特許請求の範囲】
【請求項１】
無線送受信ユニット（ＷＴＲＵ）の基本サービスセット（ＢＳＳ）選択を実行するためのＢＳＳ候補リストであって、各ＢＳＳ候補の識別と、前記ＢＳＳ候補が選択に好ましい範囲、およびそのＢＳＳ候補が選択に考慮されるべきではないかどうかを示す選好インジケータを含むＢＳＳ候補リストを生成するように構成されているメディアアクセスコントローラ（ＭＡＣ）と、
前記ＢＳＳ候補リストを送信するように構成されている送受信機と
を備えたことを特徴とする無線ローカルエリアネットワーク（ＷＬＡＮ）アクセスポイント。
【請求項２】
前記ＢＳＳ候補リストは、各ＢＳＳ候補の周波数チャネルを示していることを特徴とする請求項１に記載のＷＬＡＮアクセスポイント。
【請求項３】
前記ＢＳＳ候補リストは、ＢＳＳ候補ごとに、そのＢＳＳのチャネル占有時間を示していることを特徴とする請求項１に記載のＷＬＡＮアクセスポイント。
【請求項４】
前記送受信機は、前記ＢＳＳ候補リストに関連付けられている有効期限を送信するように構成されていることを特徴とする請求項１に記載のＷＬＡＮアクセスポイント。
【請求項５】
前記ＢＳＳ候補リストは、ＭＡＣフレームの本体で送信されることを特徴とする請求項１に記載のＷＬＡＮアクセスポイント。
【請求項６】
前記送受信機は、前記ＢＳＳ候補リストの要求を受信するように構成されており、前記ＢＳＳ候補リストは、前記受信された要求に応答して送信されることを特徴とする請求項１に記載のＷＬＡＮアクセスポイント。
【請求項７】
無線送受信ユニット（ＷＴＲＵ）ＡＰ選択を実行するためのＡＰ候補リストであって、各ＡＰの識別、並びに前記ＡＰ候補が選択に好ましい範囲および前記ＡＰ候補が選択に考慮されるべきではないかどうかを示す選好インジケータを含むＡＰ候補リストを有するＭＡＣメッセージを生成するように構成されているメディアアクセスコントローラ（ＭＡＣ）メッセージ生成器と、
前記ＭＡＣメッセージを送信するように構成されている送受信機と
を備えたことを特徴とするＩＥＥＥ８０２．１１アクセスポイント（ＡＰ）。
【請求項８】
前記ＡＰ候補リストは、各ＡＰ候補の周波数チャネルを示していることを特徴とする請求項７に記載のＩＥＥＥ８０２．１１ＡＰ。
【請求項９】
前記ＡＰ候補リストは、ＡＰ候補ごとに、そのＡＰのチャネル占有時間を示していることを特徴とする請求項７に記載のＩＥＥＥ８０２．１１ＡＰ。
【請求項１０】
前記送受信機は、前記ＢＳＳ候補リストに関連付けられている有効期限を送信するように構成されていることを特徴とする請求項７に記載のＩＥＥＥ８０２．１１ＡＰ。
【請求項１１】
前記ＡＰ候補リストは、ＭＡＣフレームの本体で送信されることを特徴とする請求項７に記載のＩＥＥＥ８０２．１１ＡＰ。
【請求項１２】
前記送受信機は、前記ＡＰ候補リストの要求を受信するように構成されており、前記ＭＡＣメッセージは、前記受信された要求に応答して送信されることを特徴とする請求項７に記載のＩＥＥＥ８０２．１１ＡＰ。
【請求項１３】
基本サービスセット（ＢＳＳ）候補リストを受信するように構成されている送受信機と、
ＢＳＳ選択を実行するためのＢＳＳ候補リストであって、各ＢＳＳ候補の識別と、前記ＢＳＳ候補が選択に好ましい範囲、および前記ＢＳＳ候補が選択に考慮されるべきではないかどうかを示す選好インジケータとを含むＢＳＳ候補リストを受信するように構成されているメディアアクセスコントローラ（ＭＡＣ）と
を備えたことを特徴とする無線ローカルエリアネットワーク（ＷＬＡＮ）無線送受信ユニット（ＷＴＲＵ）。
【請求項１４】
前記ＢＳＳ候補リストは、各ＢＳＳ候補の周波数チャネルを示していることを特徴とする請求項１３に記載のＷＬＡＮ  ＷＴＲＵ。
【請求項１５】
前記ＢＳＳ候補リストは、ＢＳＳ候補ごとに、そのＢＳＳのチャネル占有時間を示していることを特徴とする請求項１３に記載のＷＬＡＮ  ＷＴＲＵ。
【請求項１６】
前記送受信機は、前記ＢＳＳ候補リストに関連付けられている有効期限を受信するように構成されていることを特徴とする請求項１３に記載のＷＬＡＮ  ＷＴＲＵ。
【請求項１７】
前記ＢＳＳ候補リストは、ＭＡＣフレームの本体で受信されることを特徴とする請求項１３に記載のＷＬＡＮ  ＷＴＲＵ。
【請求項１８】
前記送受信機は、前記ＢＳＳ候補リストの要求を送信するように構成されており、前記ＢＳＳ候補リストは、前記送信された要求に応答して受信されることを特徴とする請求項１３に記載のＷＬＡＮ  ＷＴＲＵ。
【請求項１９】
メディアアクセス制御（ＭＡＣ）メッセージを受信するように構成されている送受信機と、
アクセスポイント（ＡＰ）選択を実行するためのアクセスポイント（ＡＰ）候補リストであって、各ＡＰの識別と、前記ＡＰ候補が選択に好ましい範囲、および前記ＡＰ候補が選択に考慮されるべきではないかどうかを示す選好インジケータとを含むＡＰ候補リストを有するＭＡＣメッセージを受信するように構成されているＭＡＣメッセージ受信機と
を備えたことを特徴とするＩＥＥＥ８０２．１１局。
【請求項２０】
前記ＡＰ候補リストは、各ＡＰ候補の周波数チャネルを示していることを特徴とする請求項１９に記載のＩＥＥＥ８０２．１１局。
【請求項２１】
前記ＡＰ候補リストは、ＡＰ候補ごとに、そのＡＰのチャネル占有時間を示していることを特徴とする請求項１９に記載のＩＥＥＥ８０２．１１局。
【請求項２２】
前記送受信機は、前記ＡＰ候補リストに関連付けられている有効期限を受信するように構成されていることを特徴とする請求項１９に記載のＩＥＥＥ８０２．１１局。
【請求項２３】
前記ＡＰ候補リストは、ＭＡＣフレームの本体で受信されることを特徴とする請求項１９に記載のＩＥＥＥ８０２．１１局。
【請求項２４】
前記送受信機は、前記ＡＰ候補リストの要求を送信するように構成されており、前記ＭＡＣメッセージは、前記送信された要求に応答して受信されることを特徴とする請求項１９に記載のＩＥＥＥ８０２．１１局。
【請求項２５】
無線送受信ユニット（ＷＴＲＵ）でメディアアクセス制御（ＭＡＣ）メッセージ内の基本サービスセット（ＢＳＳ）候補リストであって、各ＢＳＳ候補の識別と、前記ＢＳＳ候補が選択に好ましい範囲、およびそのＢＳＳ候補が選択に考慮されるべきではないかどうかを示す選好インジケータとを含むＢＳＳ候補リストを受信するステップと、
前記ＢＳＳ候補リストを使用して、前記ＷＴＲＵによってＢＳＳを選択するステップと
を備えたことを特徴とする無線ローカルエリアネットワーク（ＷＬＡＮ）で使用する方法。
【請求項２６】
前記ＢＳＳ候補リストは、各ＢＳＳ候補の周波数チャネルを示していることを特徴とする請求項２５に記載の方法。
【請求項２７】
前記ＢＳＳ候補リストは、ＢＳＳ候補ごとに、そのＢＳＳのチャネル占有時間を示していることを特徴とする請求項２５に記載の方法。
【請求項２８】
前記ＷＴＲＵによって前記ＢＳＳ候補リストに関連付けられている有効期限を受信するステップをさらに備えたことを特徴とする請求項２５に記載の方法。
【請求項２９】
前記ＢＳＳ候補リストは、ＭＡＣフレームの本体で受信されることを特徴とする請求項２５に記載の方法。
【請求項３０】
前記ＢＳＳ候補リストの要求を送信するステップをさらに備え、前記ＢＳＳ候補リストは、前記送信された要求に応答して受信されることを特徴とする請求項２５に記載の方法。
【請求項３１】
複数のアクセスポイント（ＡＰ）、および前記ＡＰのうちの第１のＡＰに現在関連付けられている無線送受信ユニット（ＷＴＲＵ）を含む無線通信システムにおいて、前記ＷＴＲＵに関連付けられるべき前記ＡＰのうちの第２のＡＰを再選択する方法であって、
（ａ）前記第１のＡＰが、ＷＴＲＵに少なくとも１つのＡＰ再選択ポリシーを送信するステップと、
（ｂ）前記ＷＴＲＵが開状態で動作している場合、前記ＷＴＲＵが、前記ＡＰ再選択ポリシーに従って測定を実行するステップと、
（ｃ）前記ＷＴＲＵが、前記測定の結果が前記第２のＡＰを再選択するための前記ＡＰ再選択ポリシーによって定義された条件を満たすかどうかを決定するステップと、
（ｄ）前記ＷＴＲＵが、前記ステップ（ｃ）での決定が正である場合、前記第２のＡＰの再選択を実行するステップと
を備えたことを特徴とする方法。
【請求項３２】
前記ＡＰ再選択ポリシーは、行われるべき測定、前記第２のＡＰについての前記測定の値が前記第１のＡＰについての対応する値を上回る必要のあるマージン、および前記第２のＡＰの再選択が行われるまで前記マージンを上回っている必要のある期間を要求することを特徴とする請求項３１に記載の方法。
【請求項３３】
前記ＡＰ再選択ポリシーは、再選択を行う対象のＡＰ候補リスト、および前記ＡＰ候補が動作する周波数チャネルリストのうちの少なくとも１つを含むことを特徴とする請求項３２に記載の方法。
【請求項３４】
前記ＡＰ再選択ポリシーは、前記ＷＴＲＵが関連付けられている状態、認証されているが関連付けられていない状態、または認証されておらず関連付けられていない状態であるとき、前記ＡＰ再選択ポリシーが適用されるかどうかを指定することを特徴とする請求項３２に記載の方法。
【請求項３５】
前記測定には、使用される無線リソースの量を示す負荷メトリック、受信信号電力レベル、信号対雑音比（ＳＮＲ）、信号対干渉比（ＳＩＲ）、予想される瞬時データレート、および予想される平均スループットのうちの少なくとも１つが含まれることを特徴とする請求項３２に記載の方法。
【請求項３６】
前記負荷メトリックは、チャネルについての負荷メトリック、およびＡＰについての負荷メトリックのうちの少なくとも１つに基づくことを特徴とする請求項３５に記載の方法。
【請求項３７】
前記ＷＴＲＵは、少なくとも２つのＡＰ再選択ポリシーを組み合わせて使用することを特徴とする請求項３１に記載の方法。
【請求項３８】
前記ＷＴＲＵには、少なくとも２つのＡＰ再選択ポリシーが送信され、前記ＡＰは前記ポリシーのうちのいずれかまたはすべての条件が満たされると、前記再選択が行われるかどうかを指定することを特徴とする請求項３１に記載の方法。
【請求項３９】
前記ＡＰ再選択ポリシーは、前記ＡＰ再選択ポリシーについての有効期間を含むことを特徴とする請求項３１に記載の方法。
【請求項４０】
前記ＷＴＲＵは開状態または閉状態のいずれかで動作し、前記開状態で動作しているときのみ、前記ＡＰ再選択ポリシーに従って前記測定を実行することを特徴とする請求項３１に記載の方法。
【請求項４１】
前記ステップ（ｃ）および（ｄ）は、前記ＷＴＲＵが閉状態で動作している場合、実行されないことを特徴とする請求項３１に記載の方法。
【請求項４２】
前記ＷＴＲＵの前記状態は、トリガ条件が満たされると、前記開状態と前記閉状態との間で切り替えられることを特徴とする請求項４０に記載の方法。
【請求項４３】
前記トリガ条件は、前記ＷＴＲＵまたは前記第１のＡＰによって監視されることを特徴とする請求項４２に記載の方法。
【請求項４４】
前記トリガ条件は、誤り率、メディアアクセス遅延、受信パケットのデータレート、送信パケットのデータレート、コンテンションウィンドウサイズ、チャネル占有時間、失敗したパケット受信のレート、受信信号強度インジケータ、受信信号コード電力、信号対雑音比（ＳＮＲ）、および信号対干渉比（ＳＩＲ）のうちの少なくとも１つが所定の期間の間に対応する閾値に到達したときに満たされることを特徴とする請求項４２に記載の方法。
【請求項４５】
前記ＡＰは、前記トリガ条件を検出し、信号を前記ＷＴＲＵに送信し、それによって前記ＷＴＲＵの状態が前記信号に従って切り替えられることを特徴とする請求項４４に記載の方法。
【請求項４６】
前記信号は、物理層またはメディアアクセス制御（ＭＡＣ）層を介して送信されることを特徴とする請求項４５に記載の方法。
【請求項４７】
前記ＡＰ再選択ポリシーは、前記ＡＰの前記ＷＴＲＵからの要求の受信に応答して前記ＷＴＲＵに送信されることを特徴とする請求項３１に記載の方法。
【請求項４８】
前記ＷＴＲＵは、前記第１のＡＰに、前記第２のＡＰの再選択を通知することを特徴とする請求項３１に記載の方法。
【請求項４９】
アクセスポイント（ＡＰ）候補を再選択して、最初に選択されたＡＰに現在関連付けられている無線送受信ユニット（ＷＴＲＵ）と関連付けする無線通信システムであって、
少なくとも１つのＡＰ再選択ポリシーを確立し、前記ＷＴＲＵに送信するＡＰ再選択ポリシーコントローラを各々含む複数のＡＰを備え、
前記ＷＴＲＵは、
前記ＷＴＲＵが開状態で動作しているときに前記ＡＰ再選択ポリシーに従って測定を行う測定ユニットと、
前記測定の結果が前記ＷＴＲＵに関連付けられるべき前記ＡＰ候補を再選択するための前記ＡＰ再選択ポリシーによって定義された条件を満たすかどうかを決定するＡＰ選択コントローラであって、それによって、前記ＡＰ再選択ポリシーで定義された前記条件が満たされる場合、前記ＷＴＲＵが前記ＡＰ候補の再選択を行う、ＡＰ選択コントローラと
を備えたことを特徴とする無線通信システム。
【請求項５０】
前記ＡＰ再選択ポリシーは、測定を行うこと、前記ＡＰ候補についての前記測定の値が、前記最初に選択されたＡＰについての対応する値を上回る必要のあるマージン、および前記ＡＰ候補の再選択が行われるまで、前記マージンを上回っている必要のある期間を要求することを特徴とする請求項４９に記載のシステム。
【請求項５１】
前記ＡＰ再選択ポリシーは、再選択を行う対象のＡＰ候補のリスト、および前記ＡＰ候補が動作する周波数チャネルのリストのうちの少なくとも１つをさらに含むことを特徴とする請求項５０に記載のシステム。
【請求項５２】
前記ＡＰ再選択ポリシーは、前記ＷＴＲＵが関連付けられている状態、認証されているが関連付けられていない状態、または認証されておらず関連付けられていない状態であるとき、前記ＡＰ再選択ポリシーが適用されるかどうかを指定することを特徴とする請求項５０に記載のシステム。
【請求項５３】
前記測定には、使用される無線リソースの量を示す負荷メトリック、受信信号電力レベル、信号対雑音比（ＳＮＲ）、信号対干渉比（ＳＩＲ）、予想される瞬時データレート、および予想される平均スループットのうちの少なくとも１つが含まれることを特徴とする請求項５０に記載のシステム。
【請求項５４】
前記負荷メトリックは、チャネルについての負荷メトリック、およびＡＰについての負荷メトリックのうちの少なくとも１つに基づくことを特徴とする請求項５３に記載のシステム。
【請求項５５】
前記ＷＴＲＵは、少なくとも２つのＡＰ再選択ポリシーを組み合わせて使用することを特徴とする請求項４９に記載のシステム。
【請求項５６】
前記ＷＴＲＵには、少なくとも２つのＡＰ再選択ポリシーが送信され、前記ＡＰは、前記ポリシーのうちのいずれかまたはすべての条件が満たされると、前記再選択が行われるかどうかを指定することを特徴とする請求項４９に記載のシステム。
【請求項５７】
前記ＡＰ再選択ポリシーは、前記ＡＰ再選択ポリシーについての有効期間を含むことを特徴とする請求項４９に記載のシステム。
【請求項５８】
前記ＷＴＲＵは、開状態または閉状態のいずれかで動作し、前記開状態で動作しているときのみ、前記ＡＰ再選択ポリシーに従って前記測定を実行することを特徴とする請求項４９に記載のシステム。
【請求項５９】
前記測定ユニットおよび前記ＡＰ選択コントローラは、前記ＷＴＲＵが閉状態で動作しているときに起動されないことを特徴とする請求項５８に記載のシステム。
【請求項６０】
前記ＷＴＲＵの状態は、トリガ条件が満たされると、前記開状態と前記閉状態との間で切り替えられることを特徴とする請求項５８に記載のシステム。
【請求項６１】
前記ＷＴＲＵおよび前記ＡＰは、前記トリガ条件の発生を監視することを特徴とする請求項６０に記載のシステム。
【請求項６２】
前記トリガ条件は、誤り率、メディアアクセス遅延、受信パケットのデータレート、送信パケットのデータレート、コンテンションウィンドウサイズ、チャネル占有時間、失敗したパケット受信のレート、受信信号強度インジケータ、受信信号コード電力、信号対雑音比（ＳＮＲ）、および信号対干渉比（ＳＩＲ）のうちの少なくとも１つが所定の期間の間に対応する閾値に到達したときに満たされることを特徴とする請求項６０に記載のシステム。
【請求項６３】
前記ＡＰは、前記トリガ条件を検出し、信号を前記ＷＴＲＵに送信し、それによって前記ＷＴＲＵの状態が前記信号に従って切り替えられることを特徴とする請求項６２に記載のシステム。
【請求項６４】
前記信号は、物理層またはメディアアクセス制御（ＭＡＣ）層を介して送信されることを特徴とする請求項６３に記載のシステム。
【請求項６５】
前記ＡＰ再選択ポリシーは、前記ＡＰの前記ＷＴＲＵからの要求の受信に応答して前記ＷＴＲＵに送信されることを特徴とする請求項４９に記載のシステム。
【請求項６６】
前記ＷＴＲＵは、前記最初に選択されたＡＰに、前記ＡＰ候補の再選択を通知することを特徴とする請求項４９に記載のシステム。
【請求項６７】
複数のアクセスポイント（ＡＰ）、および前記ＡＰのうちの第１のＡＰに現在関連付けられている無線送受信ユニット（ＷＴＲＵ）を含む無線通信システムにおいて、前記ＷＴＲＵに関連付けられるべき前記ＡＰのうちの第２のＡＰを再選択する方法であって、
（ａ）前記ＷＴＲＵが、ＡＰ再選択ポリシー、トリガ、および構成パラメータを前記第１のＡＰに要求するステップと、
（ｂ）前記第１のＡＰが、ＡＰ再選択ポリシー、トリガ、および構成パラメータを前記ＷＴＲＵに送信するステップと、
（ｃ）前記ＷＴＲＵが、前記ＡＰ再選択トリガを評価するステップと、
（ｄ）前記ＷＴＲＵが、前記第１のＡＰに、トリガ条件の発生、および前記第２のＡＰに関する識別情報を通知するステップと、
（ｅ）前記ＷＴＲＵを前記第２のＡＰに再度関連付けるステップと
を備えたことを特徴とする方法。
【請求項６８】
（ａ）第１のアクセスポイント（ＡＰ）と、
（ｂ）第２のＡＰと、
（ｃ）前記第１のＡＰに現在関連付けられている無線送受信ユニット（ＷＴＲＵ）と
を備えた無線通信システムであって、前記ＷＴＲＵはＡＰ再選択ポリシー、トリガ、および構成パラメータを前記第１のＡＰに要求し、前記第１のＡＰはＡＰ再選択ポリシー、トリガ、および構成パラメータを前記ＷＴＲＵに送信し、前記ＷＴＲＵは前記ＡＰ再選択トリガを評価し、前記第１のＡＰに、トリガ条件の発生、および前記第２のＡＰに関する識別情報を通知して、前記第２のＡＰに再度関連付けられることを特徴とする無線通信システム。
【請求項６９】
基本サービスセット（ＢＳＳ）候補リストを受信するように構成されている送受信機（ＷＴＲＵ）であって、
前記ＢＳＳ候補リストから選択されたＢＳＳにローミングする送受信機
を備えたことを特徴とするＷＴＲＵ。
【請求項７０】
前記ＢＳＳ候補リストは、各ＢＳＳ候補の識別と、前記ＢＳＳ候補が選択に好ましい範囲、および前記ＢＳＳ候補が選択に考慮されるべきではないかどうかを示す選好インジケータとを含むことを特徴とする請求項６９に記載のＷＴＲＵ。
【請求項７１】
前記ＢＳＳ候補リストは、各ＢＳＳ候補の周波数チャネルを示していることを特徴とする請求項６９に記載のＷＴＲＵ。
【請求項７２】
前記ＢＳＳ候補リストは、ＢＳＳ候補ごとに、そのＢＳＳのチャネル占有時間を示していることを特徴とする請求項６９に記載のＷＴＲＵ。
【請求項７３】
前記送受信機は、前記ＢＳＳ候補リストに関連付けられている有効期限を送信するように構成されていることを特徴とする請求項６９に記載のＷＴＲＵ。
【請求項７４】
前記ＢＳＳ候補リストは、ＭＡＣフレームの本体で送信されることを特徴とする請求項６９に記載のＷＴＲＵ。
【請求項７５】
前記送受信機は、前記ＢＳＳ候補リストの要求を受信するように構成されており、前記ＢＳＳ候補リストは、前記受信された要求に応答して送信されることを特徴とする請求項６９に記載のＷＴＲＵ。
【発明の詳細な説明】
【技術分野】
【０００１】
本発明は、無線通信システムに関する。より詳細には、本発明は、複数のアクセスポイント（ＡＰ）および１つの無線送受信ユニット（ＷＴＲＵ）を含む無線通信システムにおけるＡＰの再選択に関する。
【背景技術】
【０００２】
一般の無線ローカルエリアネットワーク（ＷＬＡＮ）は、１つまたは複数の基本サービスセット（ＢＳＳ）を含む。ＢＳＳは、１つのＡＰを含み、少なくとも１つのＷＴＲＵがそのＡＰに関連付けられている。一般に、複数のＢＳＳ（および従って複数のＡＰ）を備えるシステムでは、ＷＴＲＵがどのＡＰに関連付けられているかにより、無線通信の品質の間に大きな差が出てくる可能性がある。同様に、ＷＴＲＵにとって利用可能な無線リソースは、ＷＴＲＵが関連付けられているＡＰに大きく依存する。システム容量は、システム操作中に各ＷＴＲＵがどのＡＰに関連付けられるか、および再度関連付けされるかを管理することによって最適化することができる。
【０００３】
ＷＴＲＵとＡＰとの関連付けは、ＷＴＲＵがＷＬＡＮに接続されるとすぐに行われる（すなわち最初の関連付け）。ＡＰ再選択は、最初の関連付けの後に行われ得る。ＡＰの再選択には、一般に２つの理由がある。第１に、ＷＴＲＵは、ＷＴＲＵが動いた結果として、その時点で別のＡＰの方がより良いサービスを受けることができるようになっている場合がある。第２に、現在稼働中のＡＰによって使用される無線リソースが酷使されて（すなわち、稼働中のＡＰによって使用されているチャネルが混雑して）おり、一方、隣接するＡＰには、余分な無線リソースがある（すなわち、そのチャネルはあまり混雑していない）ため、ＷＴＲＵが別のＡＰによるサービスを受けることが望ましい場合がある。したがって、ロードバランシングは、ＷＬＡＮネットワーク内で移動中のＷＴＲＵに適切な接続ポイントを管理することであることを理解されたい。
【０００４】
ＡＰ再選択は、ＷＴＲＵまたはネットワークのいずれかから実行され得る。ＷＴＲＵ駆動のＡＰ再選択では、各ＷＴＲＵは、ＷＴＲＵがＡＰ再選択に使用する基準を決定する責任を負う。異なるＷＴＲＵは、異なるポリシーを使用する可能性があり、これらのポリシーは、システム全体によって評価される品質ではなく、１つのＷＴＲＵにおいてのみ品質を最大にすることを目的としているため、ＷＴＲＵ駆動のＡＰ再選択は、ロードバランシングに最適に働くと考えられない。しかし、ＡＰ候補からの無線接続の品質を最初に検知するのはＷＴＲＵであるため、ＷＴＲＵ駆動のＡＰ再選択によって、最低限のシグナリングおよび高反応速度が可能になり、これは、ＷＴＲＵが速く移動している、または無線チャネルの状態が速く変わる場合に有用である。
【発明の開示】
【発明が解決しようとする課題】
【０００５】
ネットワーク駆動のＡＰ再選択では、ＡＰ再選択プロセスは、ＡＰによって制御される。これによって、ネットワークにおけるすべてのＷＴＲＵにわたって一貫したロードバランシングポリシーが可能になり、理論的には、ロードバランシングから最大の性能ゲインが得られる。しかし、ネットワーク駆動のＡＰ再選択は、大量のシグナリングオーバーヘッドを必要とする場合があり、必要に応じて迅速なＡＰ再選択を行うＷＴＲＵの能力を低下させるおそれがある。
【課題を解決するための手段】
【０００６】
ＢＳＳ候補またはＡＰ候補のリストは、ＷＴＲＵで受信されたメディアアクセス制御（ＭＡＣ）メッセージに含まれる。このリストは、ＢＳＳまたはＡＰの各候補の識別と、ＢＳＳまたはＡＰの候補が選択に好ましい範囲、およびＢＳＳまたはＡＰの候補が選択に考慮されるべきではないかどうかを示す選好（ｐｒｅｆｅｒｅｎｃｅ）インジケータとを含む。ＢＳＳまたはＡＰは、リストを使用して、ＷＴＲＵによって選択される。
【０００７】
本発明のより詳細な理解は、一例として示され、添付の図面と併せ読めば理解される以下の説明から得られる。
【発明を実施するための最良の形態】
【０００８】
以下、「ＷＴＲＵ」という用語は、それだけには限定されないが、ユーザ機器（ＵＥ）、移動局、固定式または移動式の加入者ユニット、ページャ、または無線環境で動作可能な他の任意のタイプの装置を含む。以下で言及するとき、「ＡＰ」という用語は、それだけには限定されないが、Ｎｏｄｅ−Ｂ、基地局、サイトコントローラ（ｓｉｔｅ  ｃｏｎｔｒｏｌｌｅｒ）、または無線環境における他の任意のタイプのインターフェース装置（ｉｎｔｅｒｆａｃｉｎｇ  ｄｅｖｉｃｅ）を含む。
【０００９】
本発明の特徴は、集積回路（ＩＣ）に組み込まれても良く、または相互接続する多数の構成要素を含む回路において構成されても良い。
【００１０】
図１は、本発明による無線通信システム１００を示す図である。無線通信システム１００は、複数のＢＳＳ１０２ａ〜１０２ｎを備える。各ＢＳＳ１０２ａ〜１０２ｎは、それぞれＡＰ１０４ａ〜１０４ｎを含む。ＷＴＲＵ１０６がＡＰ１０４ａによってカバーされているＢＳＳ１０２ａに加わると、ＷＴＲＵ１０６と、ＡＰ１０４ａなどのＡＰとの関連付けが行われる。その後、ＷＴＲＵ１０６が現在関連付けられているＡＰ１０４ａから離れる、または現在関連付けられているＡＰ１０４ａにおける無線状態が変化するのに従って、ＡＰの再選択が行われる場合がある。異なるＡＰ１０４の対応範囲が重なるのである。
【００１１】
本発明によれば、ＡＰ再選択トリガ機能がＷＴＲＵ１０６に配置されており、ＡＰ再選択ポリシーは、ＡＰ１０４ａ〜１０４ｎによって設定される。図２は、図１の無線通信システム１００で使用されるＷＴＲＵ１０６のブロック図である。図２のＷＴＲＵ１０６は、測定ユニット２０２およびＡＰ選択コントローラ２０４を備える。測定ユニット２０２は、ＡＰ再選択ポリシーに従って測定を行い、ＡＰ選択コントローラ２０４は、測定結果が新しいＡＰを再選択するためのＡＰ再選択ポリシーによって定義された条件を満たすかどうかを決定し、そうである場合、ＷＴＲＵは、新しいＡＰへの再選択を行う。
【００１２】
図３は、図１の無線通信システムで使用されるＡＰ１０４ａ〜１０４ｎのブロック図である。図３のＡＰ１０４は、少なくとも１つのＡＰ再選択ポリシーおよび／または１組の状態遷移トリガを生成し、ＷＴＲＵ１０６に送信するＡＰ再選択ポリシーコントローラ３０２、およびＷＴＲＵ１０６の状態（すなわち開状態（ｏｐｅｎ  ｓｔａｔｅ）または閉状態（ｃｌｏｓｅｄ  ｓｔａｔｅ））を制御するオプションの測定ユニット３０４を有する。
【００１３】
ＷＴＲＵ１０６が新しいＡＰの再選択を決定するとき、その決定は、ＡＰ１０４ａ〜１０４ｎによって生成される少なくとも１つのＡＰ再選択ポリシーに基づいて行われる。複数の再選択ポリシーがＡＰ１０４からＷＴＲＵ１０６に送信される場合、ＡＰ１０４は、新しいＡＰを再選択するのにどのポリシー（またはポリシーの組）を使用すべきかをＷＴＲＵ１０６に信号で伝えることが好ましい。
【００１４】
図５は、本発明による、ＷＴＲＵ５０５、古いＡＰ５１０、および新しいＡＰ５１５を含む無線通信システムで実施されるハンドオーバープロセスのフロー図である。
【００１５】
図５のオプションのステップ５２０で、ＷＴＲＵ５０５は、ＡＰ再選択ポリシー、トリガ、および構成パラメータを古いＡＰ５１０に要求する。ステップ５２５で、古いＡＰ５２５は、ＡＰ選択ポリシー、トリガ、および構成パラメータをＷＴＲＵ５０５に送信する。ステップ５３０で、ＷＴＲＵ５０５は、ＡＰ再選択トリガを評価する。ステップ５３５で、トリガが実行される。オプションで実行することができるステップ５４０で、ＷＴＲＵ５０５は、古いＡＰ５１０に、トリガ条件の発生および選択された新しいＡＰ５１５を通知する。ステップ５４５で、ＷＴＲＵ５０５は、古いＡＰ５１０から新しいＡＰ５１５への再関連付け手順を開始する。
【００１６】
ＡＰ再選択ポリシーは、以下の情報、すなわち、
１）ＷＴＲＵがＡＰ選択手順の一部として使用する必要がある測定（または測定から導出される量）
２）ＡＰ候補に対して行われた測定値（または測定から導出された量）が現在選択されているＡＰについての対応する値を上回る必要のあるマージン
３）ＡＰ再選択が行われるまで、マージンを上回っている必要のある期間（ポリシー当たり１期間）
４）ＡＰ再選択プロセスにおいてＷＴＲＵが考慮しなければならないＡＰ候補のリスト若しくは周波数チャネルのリスト、これとは逆にＷＴＲＵが考慮する必要がないＡＰ候補のリストまたは周波数チャネルのリスト、またはＡＰとＡＰによって推薦される関連する優先値とのリスト（すなわち負荷など、ＡＰ当たりまたはＡＰのグループ当たりの関連する副情報のリスト）
５）任意選択で、複数のポリシーが指定されている場合、ポリシーのうちのいずれかまたはすべての条件が満たされると、ＡＰ再選択を行うかどうかの指示
６）任意選択で、ＡＰ再選択ポリシーの有効期間（すなわち、ＡＰ再選択ポリシーの有効期限）、および
７）任意選択で、ＷＴＲＵが関連付けられている状態、認証されているが関連付けられていない状態、または認証も関連付けもされていない状態であるとき、ＡＰ再選択ポリシーが適用されるかどうかの指示
のうちの１つまたはその組合せによって定義される。
【００１７】
ＷＴＲＵ１０６によって行われる測定には、それだけには限定されないが、使用される無線リソースの量を示す負荷メトリック、受信信号の品質（信号対雑音比（ＳＮＲ）、信号対干渉雑音比（ＳＩＮＲ）、受信信号電力レベルなど）、受信信号の品質に基づいてＡＰとの間でパケットを送受信するのに達成可能な予想される瞬時データレート（ｅｘｐｅｃｔｅｄ  ｉｎｓｔａｎｔａｎｅｏｕｓ）、チャネル使用率（ＣＵ）および受信信号の品質に基づいてＡＰとの間でパケットを送受信するのに達成可能な予想される平均スループット（ＥＡＴ）のうちの少なくとも１つを含む。ＣＵは、周波数チャネルにおいて無線媒体が「ビジー」として感知される時間の割合として定義される。ＥＡＴは、次の式、ＥＡＴ＝データレート×（１−ＣＵ）によって推定することができる。
【００１８】
負荷メトリックは、チャネルについての負荷メトリックまたはＡＰについての負荷メトリックとすることができる。チャネルベースの負荷メトリックは、ＡＰが動作する周波数チャネルにおいてチャネルが空いている間の時間の割合とすることができる。チャネルベースの負荷メトリックは、（１−ＣＵ）に等しい。ＡＰベースの負荷メトリックは、それだけには限定されないが、割り振られた時間単位およびキューに入れられているパケットの数とすることができる。
【００１９】
マージン（すなわちヒステリシス）は、新しいＡＰを早期に再選択し、その後元のＡＰに戻り、ＡＰ１０４ａ〜１０４ｎ間における行ったり来たりの頻繁な切替となってしまうことを回避するために定められる。
【００２０】
ＷＴＲＵ１０６がすでにＡＰ１０４ａなどのＡＰに関連付けられているとき、ＷＴＲＵ１０６は、別のＡＰ１０４ｂ〜１０４ｎを再選択することを考慮している場合もあれば、そうでない場合もある。本発明によれば、ＷＴＲＵ１０６について２つの状態、閉状態および開状態が定義される。閉状態では、ＷＴＲＵ１０６は、どんなＡＰ再選択ポリシーも適用しておらず、ＡＰの再選択を考慮しない。開状態では、ＷＴＲＵ１０６は、ＡＰ再選択ポリシーを適用し、ＡＰ再選択ポリシーに定められている条件が満たされると、ＡＰを再選択する。
【００２１】
本発明の一実施形態によれば、ＷＴＲＵ１０６は、常に開状態であり、したがって常にＡＰ再選択ポリシーを適用する。あるいは、ある状態遷移トリガ条件が満たされると、ＷＴＲＵ１０６は、閉状態から開状態に、またはその逆に切り替わる。測定結果が事前に指定された期間の間の対応する閾値を超える（測定の性質に応じて上回るまたは下回る）場合、状態遷移トリガ条件が満たされる。あるいは、ＡＰ１０４ａは、ＷＴＲＵ１０６についてのＡＰ１０４ａによって観察される状態遷移トリガ条件が満たされると、明示的にシグナリングすることによって、ＷＴＲＵ１０６（またはそのＢＳＳ内のＷＴＲＵのグループ）の状態を開状態と閉状態との間で切り替えることができる。
【００２２】
状態遷移トリガ条件は、ＷＴＲＵ１０６、ＡＰ１０４ａ〜１０４ｎ、またはその両方によって監視することができる。ＷＴＲＵ１０６が状態遷移トリガ条件を監視する場合、状態遷移トリガ条件が満たされると、ＷＴＲＵ１０６は、状態を自動的に切り替える。ＡＰ１０４ａ〜１０４ｎが状態遷移トリガ条件を監視する場合、状態遷移トリガ条件が満たされると、ＡＰ１０４ａ〜１０４ｎは、レイヤ２（Ｌ２）またはレイヤ１（Ｌ１）のシグナリングによって、状態を変更するために信号をＷＴＲＵ１０６に送信する。
【００２３】
それだけには限定されないが、以下のイベントのうちの１つが行われると、状態を切り替えるための状態遷移トリガ条件が満たされる。以下のイベントにおいて、条件を「上回る」および「下回る」場合、［］括弧内の条件は、開状態から閉状態に状態を変更するために適用され、［］括弧外の条件は、閉状態から開状態に状態を変更するために適用される。これらのトリガのうちのいくつかは、ＡＰ側またはＳＴＡ側で測定することができる。例えば、送信パケットのデータレートは、ＡＰ１０４（ダウンリンク）によって監視することができる。これに基づいて、ＡＰ１０４は、ＷＴＲＵ１０６を開状態にすることを決定することができる。ＡＰ側から測定を行うとき、これは、ＡＰ１０４がＷＴＲＵの状態を設定する場合に適用され、ＷＴＲＵ側から測定を行うとき、ＷＴＲＵが自らその状態を設定する場合に適用される。
【００２４】
上述した状態遷移トリガ条件は、
１）所定の期間の間閾値を上回る［下回る］送信パケットまたは受信パケットの誤り率
２）ある期間の間閾値を上回る［下回る］（非競合アクセス部分（ｃｏｎｔｅｎｔｉｏｎ  ｆｒｅｅ  ａｃｃｅｓｓ  ｐｏｒｔｉｏｎ）において観察された、または特定のＩＥＥＥ８０２．１１ｅ／無線マルチメディア（ＷＭＭ）アクセスカテゴリについて観察された）メディアアクセス遅延
３）ある期間の間閾値を下回る［上回る］送信パケットのデータレート
４）ある期間の間閾値を下回る［上回る］受信パケットのデータレート
５）ある期間の間閾値を上回る［下回る］コンテンションウィンドウサイズ（ｃｏｎｔｅｎｔｉｏｎ  ｗｉｎｄｏｗ  ｓｉｚｅ）
６）ある期間の間閾値を上回る［下回る］チャネル占有時間
７）ある期間の間閾値を上回る［下回る］失敗したパケット受信のレート
８）ある期間の間閾値を下回る［上回る］現在の関連付けの受信信号の品質（受信信号強度インジケータ（ＲＳＳＩ）、受信チャネル電力インジケータ（ＲＣＰＩ）、ＳＮＲ、ＳＩＮＲ、または他の任意の関連の測定値など）
９）事前に構成された、または動的に再構成された関連付け評価タイマ値（ｅｖａｌｕａｔｉｏｎ  ｔｉｍｅｒ  ｖａｌｕｅ）のタイムアウト
１０）好ましくは管理タイプの、既存のまたは新しいメディアアクセス制御（ＭＡＣ）フレームのシグナリングビットフラグ、情報フィールド、または情報要素部分の受信、および
１１）上記の任意の組合せ
を含み得る。
【００２５】
閾値は、相対値または絶対値とすることができ、期間は、ビーコンフレーム送信など、いくつかのイベントの発生に対する絶対値または相対値によって定義することができる。
【００２６】
ＡＰ１０４ａ〜１０４ｎは、ＡＰ再選択ポリシーや状態遷移トリガ条件などのＡＰ再選択関連の情報を送信するために、ユニキャストまたはマルチキャスト／ブロードキャストタイプのＭＡＣシグナリングフレームをＷＴＲＵ１０６に送信する。この情報は、通常の間隔で、ポーリングされると（すなわちＷＴＲＵ１０６がこの情報をＡＰ１０４ａ〜１０４ｎに明示的に要求すると）、特定の方法は要求されず、任意の組合せで送信することができる。
【００２７】
ＡＰ再選択関連の情報を含むＭＡＣシグナリングフレームは、関連付けられている状態、認証されているが関連付けられていない状態、または認証も関連付けもされていない状態であるとき、ＷＴＲＵ１０６に送信することができる。異なるＡＰ再選択ポリシーおよび状態遷移トリガは、ＷＴＲＵ１０６の現在の状況に応じて選択することができる。あるいは、情報を、（管理、制御、またはデータフレーム）変更の有無にかかわらず、既存のＭＡＣフレームの一部分としてＷＴＲＵ１０６に送信することができる。ＡＰ再選択関連情報は、ＭＡＣフレームのヘッダーまたはフレーム本体に情報フィールドまたは情報要素として含むことができる。例えば、閉状態と開状態との間の切替のための状態遷移フラグは、ＭＡＣフレームの既存のＩＥＥＥ８０２．１１ＭＡＣプリアンブル、ヘッダーまたはフレーム本体のうちの任意の部分における現在使用されていない予備のビット、または組合せ値のうちの１つを使用して、ＡＰ１０４ａ〜１０４ｎによって送信され得る。上記で説明した例のほとんどはＬ２フレームに関連するが、当業者は、ＡＰを介した簡易ネットワーク管理プロトコル（ＳＮＭＰ）、管理情報ベース（ＭＩＢ）などに使用されるものなど、ＷＴＲＵと任意のネットワークエンティティとの間の上位レイヤプロトコル交換をサポートするために、他の任意のタイプのフレームを使用して、本発明を実施することができる。これは、明示的なシグナリングフレームではなく、プロトコル設計によって暗黙的に達成することができる。例えば、クラス３フレームの一部分として指定されているＬＢフレームは、関連付けられている状態、および認証されている状態のみに適用することができる。
【００２８】
図４は、本発明によるＡＰを再選択するためのプロセス４００のフロー図である。ＷＴＲＵ１０６に現在関連付けられている第１のＡＰは、少なくとも１つのＡＰ再選択ポリシーおよび／または１組の状態遷移トリガを生成し、ＷＴＲＵ１０６に送信する（ステップ４０２）。ステップ４０４で、ＷＴＲＵは、閉状態であるか開状態であるかを決定する。ステップ４０４で、ＷＴＲＵが開状態であると決定されると、ＷＴＲＵ１０６は、現在実施中のＡＰ再選択ポリシーに従って測定を実行する（ステップ４０６）。ＡＰ再選択ポリシーは、上述したように、必要な測定および関連のパラメータを定義する。次いでＷＴＲＵ１０６は、測定結果がＡＰ再選択ポリシーによって定義されている条件を満たすかどうかを決定する（ステップ４０８）。新しいＡＰについての測定結果（または測定結果から導出された値）が、ＡＰ再選択ポリシーに定義されている期間の間マージンだけ対応する閾値を超える（測定の性質に応じて上回るまたは下回る）場合、条件が満たされる。条件が満たされると、ＷＴＲＵ１０６は、第２のＡＰへの再選択を行う（ステップ４１０）。そうでない場合、現在選択されているＡＰは、維持され、プロセス４００は、ステップ４０４に戻る。
【００２９】
複数のＡＰ候補が、ポリシーによって定義された条件を満たす場合、ＷＴＲＵ１０６は、その測定値が現在選択されているＡＰのものを最大量超えるＡＰを選択することができる。
【００３０】
ＡＰ１０４ａ〜１０４ｎは、複数のポリシーを定義することができ、ＷＴＲＵ１０６は、任意選択で、どのＡＰに再選択すべきかを決定するために、ポリシーの組合せを使用することができる。この場合、組合せの中のポリシーのうちのいずれか１つの条件が満たされると、あるいは、組合せの中のすべてのポリシーの条件が満たされると、ＷＴＲＵ１０６は、新しいＡＰを再選択すると決定することができる。好ましくは、ＡＰ１０４ａ〜１０４ｎは、新しいＡＰの再選択にどのポリシー（またはポリシーの組）を使用すべきかをＷＴＲＵ１０６に信号で伝送する。
【００３１】
図６は、ＭＡＣメッセージングを使用するＷＴＲＵ６００の簡略ブロック図である。ＭＡＣ６０１は、ＭＡＣメッセージを生成するＭＡＣメッセージ生成器６０２、およびＭＡＣメッセージを受信するＭＡＣメッセージ受信機６０３を有する。送受信機６０４は、アンテナまたはアンテナアレイ６０５を使用して、生成されたＭＡＣメッセージを送信し、ＭＡＣメッセージを受信する。
【００３２】
図７は、ＭＡＣメッセージングを使用するＡＰ７００の簡略ブロック図である。ＭＡＣ７０１は、ＭＡＣメッセージを生成するＭＡＣメッセージ生成器７０２、およびＭＡＣメッセージを受信するＭＡＣメッセージ受信機７０３を有する。送受信機７０４は、アンテナまたはアンテナアレイ７０５を使用して、生成されたＭＡＣメッセージを送信し、ＭＡＣメッセージを受信する。
【００３３】
（実施態様）
１．無線送受信ユニット（ＷＴＲＵ）ＢＳＳ選択を実行するための基本サービスセット（ＢＳＳ）候補リストであって、各ＢＳＳ候補の識別と、前記ＢＳＳ候補が選択に好ましい範囲、およびそのＢＳＳ候補が選択に考慮されるべきではないかどうかを示す選好インジケータとを含むＢＳＳ候補リストを生成するように構成されているメディアアクセスコントローラ（ＭＡＣ）と、
前記ＢＳＳ候補リストを送信するように構成されている送受信機と
を備えたことを特徴とする無線ローカルエリアネットワーク（ＷＬＡＮ）アクセスポイント。
【００３４】
２．前記ＢＳＳ候補リストは、各ＢＳＳ候補の周波数チャネルを示していることを特徴とする実施態様１に記載のＷＬＡＮアクセスポイント。
【００３５】
３．前記ＢＳＳ候補リストは、ＢＳＳ候補ごとに、そのＢＳＳのチャネル占有時間を示していることを特徴とする上記実施態様のいずれかに記載のＷＬＡＮアクセスポイント。
【００３６】
４．前記送受信機は、前記ＢＳＳ候補リストに関連付けられている有効期限を送信するように構成されていることを特徴とする上記実施態様のいずれかに記載のＷＬＡＮアクセスポイント。
【００３７】
５．前記ＢＳＳ候補リストは、ＭＡＣフレームの本体で送信されることを特徴とする上記実施態様のいずれかに記載のＷＬＡＮアクセスポイント。
【００３８】
６．前記送受信機は、前記ＢＳＳ候補リストの要求を受信するように構成されており、前記ＢＳＳ候補リストは、前記受信された要求に応答して送信されることを特徴とする上記実施態様のいずれかに記載のＷＬＡＮアクセスポイント。
【００３９】
７．無線送受信ユニット（ＷＴＲＵ）ＡＰ選択を実行するためのＡＰ候補リストであって、各ＡＰの識別と、前記ＡＰ候補が選択に好ましい範囲、および前記ＡＰ候補が選択に考慮されるべきではないかどうかを示す選好インジケータとを含むＡＰ候補リストを有するＭＡＣメッセージを生成するように構成されているメディアアクセスコントローラ（ＭＡＣ）メッセージ生成器と、
前記ＭＡＣメッセージを送信するように構成されている送受信機と
を備えたことを特徴とするＩＥＥＥ８０２．１１アクセスポイント（ＡＰ）。
【００４０】
８．前記ＡＰ候補リストは、各ＡＰ候補の周波数チャネルを示していることを特徴とする実施態様７に記載のＩＥＥＥ８０２．１１ＡＰ。
【００４１】
９．前記ＡＰ候補リストは、ＡＰ候補ごとに、そのＡＰのチャネル占有時間を示していることを特徴とする実施態様７に記載のＩＥＥＥ８０２．１１ＡＰ。
【００４２】
１０．前記送受信機は、前記ＢＳＳ候補リストに関連付けられている有効期限を送信するように構成されていることを特徴とする上記実施態様のいずれかに記載のＩＥＥＥ８０２．１１ＡＰ。
【００４３】
１１．前記ＡＰ候補リストは、ＭＡＣフレームの本体で送信されることを特徴とする上記実施態様のいずれかに記載のＩＥＥＥ８０２．１１ＡＰ。
【００４４】
１２．前記送受信機は、前記ＡＰ候補リストの要求を受信するように構成されており、前記ＭＡＣメッセージは、前記受信された要求に応答して送信されることを特徴とする上記実施態様のいずれかに記載のＩＥＥＥ８０２．１１ＡＰ。
【００４５】
１３．基本サービスセット（ＢＳＳ）候補のリストを受信するように構成されている送受信機と、
ＢＳＳ選択を実行するためのＢＳＳ候補リストであって、各ＢＳＳ候補の識別と、前記ＢＳＳ候補が選択に好ましい範囲、および前記ＢＳＳ候補が選択に考慮されるべきではないかどうかを示す選好インジケータとを含むＢＳＳ候補リストを受信するように構成されているメディアアクセスコントローラ（ＭＡＣ）と
を備えたことを特徴とする無線ローカルエリアネットワーク（ＷＬＡＮ）無線送受信ユニット（ＷＴＲＵ）。
【００４６】
１４．前記ＢＳＳ候補リストは、各ＢＳＳ候補の周波数チャネルを示していることを特徴とする実施態様１３に記載のＷＬＡＮ  ＷＴＲＵ。
【００４７】
１５．前記ＢＳＳ候補リストは、ＢＳＳ候補ごとに、そのＢＳＳのチャネル占有時間を示していることを特徴とする実施態様１３に記載のＷＬＡＮ  ＷＴＲＵ。
【００４８】
１６．前記送受信機は、前記ＢＳＳ候補リストに関連付けられている有効期限を受信するように構成されていることを特徴とする上記実施態様のいずれかに記載のＷＬＡＮ  ＷＴＲＵ。
【００４９】
１７．前記ＢＳＳ候補リストは、ＭＡＣフレームの本体で受信されることを特徴とする上記実施態様のいずれかに記載のＷＬＡＮ  ＷＴＲＵ。
【００５０】
１８．前記送受信機は、前記ＢＳＳ候補リストの要求を送信するように構成されており、前記ＢＳＳ候補リストは、前記送信された要求に応答して受信されることを特徴とする上記実施態様のいずれかに記載のＷＬＡＮ  ＷＴＲＵ。
【００５１】
１９．メディアアクセス制御（ＭＡＣ）メッセージを受信するように構成されている送受信機と、
アクセスポイント（ＡＰ）選択を実行するためのアクセスポイント（ＡＰ）候補のリストであって、各ＡＰの識別と、前記ＡＰ候補が選択に好ましい範囲、および前記ＡＰ候補が選択に考慮されるべきではないかどうかを示す選好インジケータとを含むＡＰ候補リストを有するＭＡＣメッセージを受信するように構成されているＭＡＣメッセージ受信機と
を備えたことを特徴とするＩＥＥＥ８０２．１１局。
【００５２】
２０．前記ＡＰ候補リストは、各ＡＰ候補の周波数チャネルを示していることを特徴とする実施態様１９に記載のＩＥＥＥ８０２．１１局。
【００５３】
２１．前記ＡＰ候補リストは、ＡＰ候補ごとに、そのＡＰのチャネル占有時間を示していることを特徴とする実施態様１９に記載のＩＥＥＥ８０２．１１局。
【００５４】
２２．前記送受信機は、前記ＡＰ候補リストに関連付けられている有効期限を受信するように構成されていることを特徴とする上記実施態様のいずれかに記載のＩＥＥＥ８０２．１１局。
【００５５】
２３．前記ＡＰ候補リストは、ＭＡＣフレームの本体で受信されることを特徴とする上記実施態様のいずれかに記載のＩＥＥＥ８０２．１１局。
【００５６】
２４．前記送受信機は、前記ＡＰ候補リストの要求を送信するように構成されており、前記ＭＡＣメッセージは、前記送信された要求に応答して受信されることを特徴とする上記実施態様のいずれかに記載のＩＥＥＥ８０２．１１局。
【００５７】
２５．無線送受信ユニット（ＷＴＲＵ）でメディアアクセス制御（ＭＡＣ）メッセージ内の基本サービスセット（ＢＳＳ）候補リストであって、各ＢＳＳ候補の識別と、前記ＢＳＳ候補が選択に好ましい範囲、およびそのＢＳＳ候補が選択に考慮されるべきではないかどうかを示す選好インジケータとを含むＢＳＳ候補リストを受信するステップと、
前記ＢＳＳ候補リストを使用して、前記ＷＴＲＵによってＢＳＳを選択するステップと
を備えたことを特徴とする無線ローカルエリアネットワーク（ＷＬＡＮ）で使用する方法。
【００５８】
２６．前記ＢＳＳ候補リストは、各ＢＳＳ候補の周波数チャネルを示していることを特徴とする実施態様２５に記載の方法。
【００５９】
２７．前記ＢＳＳ候補リストは、ＢＳＳ候補ごとに、そのＢＳＳのチャネル占有時間を示していることを特徴とする実施態様２５に記載の方法。
【００６０】
２８．前記ＷＴＲＵによって前記ＢＳＳ候補リストに関連付けられている有効期限を受信するステップをさらに備えたことを特徴とする上記実施態様のいずれかに記載の方法。
【００６１】
２９．前記ＢＳＳ候補リストは、ＭＡＣフレームの本体で受信されることを特徴とする上記実施態様のいずれかに記載の方法。
【００６２】
３０．前記ＢＳＳ候補リストの要求を送信するステップをさらに備え、前記ＢＳＳ候補リストは、前記送信された要求に応答して受信されることを特徴とする上記実施態様のいずれかに記載の方法。
【００６３】
３１．複数のアクセスポイント（ＡＰ）、および前記ＡＰのうちの第１のＡＰに現在関連付けられている無線送受信ユニット（ＷＴＲＵ）を含む無線通信システムにおいて、前記ＷＴＲＵに関連付けられるべき前記ＡＰのうちの第２のＡＰを再選択する方法であって、
（ａ）前記第１のＡＰは、ＷＴＲＵに少なくとも１つのＡＰ再選択ポリシーを送信するステップと、
（ｂ）前記ＷＴＲＵが開状態で動作している場合、前記ＷＴＲＵは、前記ＡＰ再選択ポリシーに従って測定を実行するステップと、
（ｃ）前記ＷＴＲＵは、前記測定の結果が前記第２のＡＰを再選択するための前記ＡＰ再選択ポリシーによって定義された条件を満たすかどうかを決定するステップと、
（ｄ）前記ＷＴＲＵは、前記ステップ（ｃ）での決定が正である場合、前記第２のＡＰの再選択を実行するステップと
を備えたことを特徴とする方法。
【００６４】
３２．前記ＡＰ再選択ポリシーは、測定を行うこと、前記第２のＡＰについての前記測定の値が、前記第１のＡＰについての対応する値を上回る必要のあるマージン、および前記第２のＡＰの再選択が行われるまで、前記マージンを上回っている必要のある期間を必要とすることを特徴とする実施態様３１に記載の方法。
【００６５】
３３．前記ＡＰ再選択ポリシーは、再選択を行う対象のＡＰ候補のリスト、および前記ＡＰ候補が動作する周波数チャネルのリストのうちの少なくとも１つを含むことを特徴とする実施態様３２に記載の方法。
【００６６】
３４．前記ＡＰ再選択ポリシーは、前記ＷＴＲＵが関連付けられている状態、認証されているが関連付けられていない状態、または認証されておらず関連付けられていない状態であるとき、前記ＡＰ再選択ポリシーが適用されるかどうかを指定することを特徴とする実施態様３２に記載の方法。
【００６７】
３５．前記測定には、使用される無線リソースの量を示す負荷メトリック、受信信号電力レベル、信号対雑音比（ＳＮＲ）、信号対干渉比（ＳＩＲ）、予想される瞬時データレート、および予想される平均スループットのうちの少なくとも１つが含まれることを特徴とする実施態様３２に記載の方法。
【００６８】
３６．前記負荷メトリックは、チャネルについての負荷メトリック、およびＡＰについての負荷メトリックのうちの少なくとも１つに基づくことを特徴とする実施態様３５に記載の方法。
【００６９】
３７．前記ＷＴＲＵは、少なくとも２つのＡＰ再選択ポリシーを組み合わせて使用することを特徴とする上記実施態様のいずれかに記載の方法。
【００７０】
３８．前記ＷＴＲＵには、少なくとも２つのＡＰ再選択ポリシーが送信され、前記ＡＰは、前記ポリシーのうちのいずれかまたはすべての条件が満たされると、前記再選択が行われるかどうかを指定することを特徴とする上記実施態様のいずれかに記載の方法。
【００７１】
３９．前記ＡＰ再選択ポリシーは、前記ＡＰ再選択ポリシーについての有効期間を含むことを特徴とする上記実施態様のいずれかに記載の方法。
【００７２】
４０．前記ＷＴＲＵは、開状態または閉状態のいずれかで動作し、前記開状態で動作しているときのみ、前記ＡＰ再選択ポリシーに従って前記測定を実行することを特徴とする上記実施態様のいずれかに記載の方法。
【００７３】
４１．ステップ（ｃ）および（ｄ）は、前記ＷＴＲＵが閉状態で動作している場合、実行されないことを特徴とする実施態様４０に記載の方法。
【００７４】
４２．前記ＷＴＲＵの状態は、トリガ条件が満たされると、前記開状態と前記閉状態との間で切り替えられることを特徴とする実施態様４０に記載の方法。
【００７５】
４３．前記トリガ条件は、前記ＷＴＲＵまたは前記第１のＡＰによって監視されることを特徴とする実施態様４２に記載の方法。
【００７６】
４４．前記トリガ条件は、誤り率、メディアアクセス遅延、受信パケットのデータレート、送信パケットのデータレート、コンテンションウィンドウサイズ、チャネル占有時間、失敗したパケット受信のレート、受信信号強度インジケータ、受信信号コード電力、信号対雑音比（ＳＮＲ）、および信号対干渉比（ＳＩＲ）のうちの少なくとも１つが所定の期間の間に対応する閾値に到達したときに満たされることを特徴とする実施態様４２に記載の方法。
【００７７】
４５．前記ＡＰは、前記トリガ条件を検出し、信号を前記ＷＴＲＵに送信し、それによって前記ＷＴＲＵの状態が前記信号に従って切り替えられることを特徴とする実施態様４４に記載の方法。
【００７８】
４６．前記信号は、物理層またはメディアアクセス制御（ＭＡＣ）層を介して送信されることを特徴とする実施態様４５に記載の方法。
【００７９】
４７．前記ＡＰ再選択ポリシーは、前記ＡＰの前記ＷＴＲＵからの要求の受信に応答して前記ＷＴＲＵに送信されることを特徴とする上記実施態様のいずれかに記載の方法。
【００８０】
４８．前記ＷＴＲＵは、前記第１のＡＰに、前記第２のＡＰの再選択を通知することを特徴とする上記実施態様のいずれかに記載の方法。
【００８１】
４９．最初に選択されたＡＰに現在関連付けられている無線送受信ユニット（ＷＴＲＵ）との関連付けのために、アクセスポイント（ＡＰ）候補を再選択する無線通信システムであって、
少なくとも１つのＡＰ再選択ポリシーを確立し、前記ＷＴＲＵに送信するＡＰ再選択ポリシーコントローラを各々含む複数のＡＰを備え、
前記ＷＴＲＵは、
前記ＷＴＲＵが開状態で動作しているときに前記ＡＰ再選択ポリシーに従って測定を行う測定ユニットと、
前記測定の結果が前記ＷＴＲＵに関連付けられるべき前記ＡＰ候補を再選択するための前記ＡＰ再選択ポリシーによって定義された条件を満たすかどうかを決定するＡＰ選択コントローラであって、それによって、前記ＡＰ再選択ポリシーで定義された前記条件が満たされる場合、前記ＷＴＲＵが前記ＡＰ候補の再選択を行う、ＡＰ選択コントローラと
を含むことを特徴とする無線通信システム。
【００８２】
５０．前記ＡＰ再選択ポリシーは、行うべき測定、前記ＡＰ候補についての前記測定の値が、前記最初に選択されたＡＰについての対応する値を上回る必要のあるマージン、および前記ＡＰ候補の再選択が行われるまで、前記マージンを上回っている必要のある期間を要求することを特徴とする実施態様４９に記載のシステム。
【００８３】
５１．前記ＡＰ再選択ポリシーは、再選択を行う対象のＡＰ候補のリスト、および前記ＡＰ候補が動作する周波数チャネルのリストのうちの少なくとも１つをさらに含むことを特徴とする実施態様５０に記載のシステム。
【００８４】
５２．前記ＡＰ再選択ポリシーは、前記ＷＴＲＵが関連付けられている状態、認証されているが関連付けられていない状態、または認証されておらず関連付けられていない状態であるとき、前記ＡＰ再選択ポリシーが適用されるかどうかを指定することを特徴とする実施態様５０に記載のシステム。
【００８５】
５３．前記測定には、使用される無線リソースの量を示す負荷メトリック、受信信号電力レベル、信号対雑音比（ＳＮＲ）、信号対干渉比（ＳＩＲ）、予想される瞬時データレート、および予想される平均スループットのうちの少なくとも１つが含まれることを特徴とする実施態様５０に記載のシステム。
【００８６】
５４．前記負荷メトリックは、チャネルについての負荷メトリック、およびＡＰについての負荷メトリックのうちの少なくとも１つに基づくことを特徴とする実施態様５３に記載のシステム。
【００８７】
５５．前記ＷＴＲＵは、少なくとも２つのＡＰ再選択ポリシーを組み合わせて使用することを特徴とする上記実施態様のいずれかに記載のシステム。
【００８８】
５６．前記ＷＴＲＵには、少なくとも２つのＡＰ再選択ポリシーが送信され、前記ＡＰは、前記ポリシーのうちのいずれかまたはすべての条件が満たされると、前記再選択が行われるかどうかを指定することを特徴とする上記実施態様のいずれかに記載のシステム。
【００８９】
５７．前記ＡＰ再選択ポリシーは、前記ＡＰ再選択ポリシーについての有効期間を含むことを特徴とする上記実施態様のいずれかに記載のシステム。
【００９０】
５８．前記ＷＴＲＵは、開状態または閉状態のいずれかで動作し、前記開状態で動作しているときのみ、前記ＡＰ再選択ポリシーに従って前記測定を実行することを特徴とする上記実施態様のいずれかに記載のシステム。
【００９１】
５９．前記測定ユニットおよび前記ＡＰ選択コントローラは、前記ＷＴＲＵが閉状態で動作しているときに起動されないことを特徴とする実施態様５８に記載のシステム。
【００９２】
６０．前記ＷＴＲＵの前記状態は、トリガ条件が満たされると、前記開状態と前記閉状態との間で切り替えられることを特徴とする実施態様５８に記載のシステム。
【００９３】
６１．前記ＷＴＲＵおよび前記ＡＰは、前記トリガ条件の発生を監視することを特徴とする実施態様６０に記載のシステム。
【００９４】
６２．前記トリガ条件は、誤り率、メディアアクセス遅延、受信パケットのデータレート、送信パケットのデータレート、コンテンションウィンドウサイズ、チャネル占有時間、失敗したパケット受信のレート、受信信号強度インジケータ、受信信号コード電力、信号対雑音比（ＳＮＲ）、および信号対干渉比（ＳＩＲ）のうちの少なくとも１つが所定の期間の間に対応する閾値に到達したときに満たされることを特徴とする実施態様６０に記載のシステム。
【００９５】
６３．前記ＡＰは、前記トリガ条件を検出し、信号を前記ＷＴＲＵに送信し、それによって前記ＷＴＲＵの状態が前記信号に従って切り替えられることを特徴とする実施態様６２に記載のシステム。
【００９６】
６４．前記信号は、物理層またはメディアアクセス制御（ＭＡＣ）層を介して送信されることを特徴とする実施態様６３に記載のシステム。
【００９７】
６５．前記ＡＰ再選択ポリシーは、前記ＡＰの前記ＷＴＲＵからの要求の受信に応答して前記ＷＴＲＵに送信されることを特徴とする上記実施態様のいずれかに記載のシステム。
【００９８】
６６．前記ＷＴＲＵは、前記最初に選択されたＡＰに、前記ＡＰ候補の再選択を通知することを特徴とする上記実施態様のいずれかに記載のシステム。
【００９９】
６７．複数のアクセスポイント（ＡＰ）、および前記ＡＰのうちの第１のＡＰに現在関連付けられている無線送受信ユニット（ＷＴＲＵ）を含む無線通信システムにおいて、前記ＷＴＲＵに関連付けられるべき前記ＡＰのうちの第２のＡＰを再選択する方法であって、
（ａ）前記ＷＴＲＵが、ＡＰ再選択ポリシー、トリガ、および構成パラメータを前記第１のＡＰに要求するステップと、
（ｂ）前記第１のＡＰが、ＡＰ再選択ポリシー、トリガ、および構成パラメータを前記ＷＴＲＵに送信するステップと、
（ｃ）前記ＷＴＲＵが、前記ＡＰ再選択トリガを評価するステップと、
（ｄ）前記ＷＴＲＵが、前記第１のＡＰに、トリガ条件の発生、および前記第２のＡＰに関する識別情報を通知するステップと、
（ｅ）前記ＷＴＲＵを前記第２のＡＰに再度関連付けるステップと
を備えたことを特徴とする方法。
【０１００】
６８．（ａ）第１のアクセスポイント（ＡＰ）と、
（ｂ）第２のＡＰと、
（ｂ）前記第１のＡＰに現在関連付けられている無線送受信ユニット（ＷＴＲＵ）を備え、前記ＷＴＲＵはＡＰ再選択ポリシー、トリガ、および構成パラメータを前記第１のＡＰに要求し、前記第１のＡＰはＡＰ再選択ポリシー、トリガ、および構成パラメータを前記ＷＴＲＵに送信し、前記ＷＴＲＵは前記ＡＰ再選択トリガを評価し、前記第１のＡＰに、トリガ条件の発生、および前記第２のＡＰに関する識別情報を通知して、前記第２のＡＰに再度関連付けられることを特徴とする無線通信システム。
【０１０１】
６９．基本サービスセット（ＢＳＳ）候補リストを受信するように構成されている送受信機（ＷＴＲＵ）であって、
前記ＢＳＳ候補リストから選択されたＢＳＳにローミングする送受信機
を備えたことを特徴とするＷＴＲＵ。
【０１０２】
７０．前記ＢＳＳ候補リストは、各ＢＳＳ候補の識別と、前記ＢＳＳ候補が選択に好ましい範囲、および前記ＢＳＳ候補が選択に考慮されるべきではないかどうかを示す選好インジケータとを含むことを特徴とする実施態様６９に記載のＷＴＲＵ。
【０１０３】
７１．前記ＢＳＳ候補リストは、各ＢＳＳ候補の周波数チャネルを示していることを特徴とする実施態様６９に記載のＷＴＲＵ。
【０１０４】
７２．前記ＢＳＳ候補リストは、ＢＳＳ候補ごとに、そのＢＳＳのチャネル占有時間を示していることを特徴とする実施態様６９に記載のＷＴＲＵ。
【０１０５】
７３．前記送受信機は、前記ＢＳＳ候補リストに関連付けられている有効期限を送信するように構成されていることを特徴とする上記実施態様のいずれかに記載のＷＴＲＵ。
【０１０６】
７４．前記ＢＳＳ候補リストは、ＭＡＣフレームの本体で送信されることを特徴とする上記実施態様のいずれかに記載のＷＴＲＵ。
【０１０７】
７５．前記送受信機は、前記ＢＳＳ候補リストの要求を受信するように構成されており、前記ＢＳＳ候補リストは、前記受信された要求に応答して送信されることを特徴とする上記実施態様のいずれかに記載のＷＴＲＵ。
【０１０８】
本発明の特徴および要素は、好ましい実施態様に特定の組合せで記載されているが、各特徴または要素は、好ましい実施態様の他の特徴および要素無しに単独で使用されても良く、または本発明の他の特徴および要素の有無にかかわらず、様々な組合せで使用されても良い。
【図面の簡単な説明】
【０１０９】
【図１】本発明による無線通信システムを示す図である。
【図２】図１のシステムで使用されるＷＴＲＵのブロック図である。
【図３】図１のシステムで使用されるＡＰのブロック図である。
【図４】本発明によるＡＰを再選択するためのプロセスを示すフロー図である。
【図５】本発明によるハンドオーバープロセスを示すフロー図である。
【図６】ＭＡＣメッセージングを使用するＷＴＲＵ６００を示す簡略ブロック図である。
【図７】ＭＡＣメッセージングを使用するＡＰ７００を示す簡略ブロック図である。
【図１】
2008541626.tif 000003
【図２】
2008541626.tif 000004
【図３】
2008541626.tif 000005
【図４】
2008541626.tif 000006
【図５】
2008541626.tif 000007
【図６】
2008541626.tif 000008
【図７】
2008541626.tif 000009
【手続補正書】
【提出日】平成20年1月15日(2008.1.15)
【手続補正１】
【補正対象書類名】特許請求の範囲
【補正対象項目名】全文
【補正方法】変更
【補正の内容】
【特許請求の範囲】
【請求項１】
無線送受信ユニット（ＷＴＲＵ）の基本サービスセット（ＢＳＳ）選択を実行するためのＢＳＳ候補リストであって、各ＢＳＳ候補の識別と、前記ＢＳＳ候補が選択に好ましい範囲、およびそのＢＳＳ候補が選択に考慮されるべきではないかどうかを示す選好インジケータを含むＢＳＳ候補リストを生成するように構成されているメディアアクセスコントローラ（ＭＡＣ）と、
前記ＢＳＳ候補リストを送信するように構成されている送受信機と
を備えたことを特徴とする無線ローカルエリアネットワーク（ＷＬＡＮ）アクセスポイント。
【請求項２】
前記ＢＳＳ候補リストは、各ＢＳＳ候補の周波数チャネルを示していることを特徴とする請求項１に記載のＷＬＡＮアクセスポイント。
【請求項３】
前記ＢＳＳ候補リストは、ＢＳＳ候補ごとに、そのＢＳＳのチャネル占有時間を示していることを特徴とする請求項１に記載のＷＬＡＮアクセスポイント。
【請求項４】
前記送受信機は、前記ＢＳＳ候補リストに関連付けられている有効期限を送信するように構成されていることを特徴とする請求項１に記載のＷＬＡＮアクセスポイント。
【請求項５】
前記ＢＳＳ候補リストは、ＭＡＣフレームの本体で送信されることを特徴とする請求項１に記載のＷＬＡＮアクセスポイント。
【請求項６】
前記送受信機は、前記ＢＳＳ候補リストの要求を受信するように構成されており、前記ＢＳＳ候補リストは、前記受信された要求に応答して送信されることを特徴とする請求項１に記載のＷＬＡＮアクセスポイント。
【請求項７】
無線送受信ユニット（ＷＴＲＵ）ＡＰ選択を実行するためのＡＰ候補リストであって、各ＡＰの識別、並びに前記ＡＰ候補が選択に好ましい範囲および前記ＡＰ候補が選択に考慮されるべきではないかどうかを示す選好インジケータを含むＡＰ候補リストを有するＭＡＣメッセージを生成するように構成されているメディアアクセスコントローラ（ＭＡＣ）メッセージ生成器と、
前記ＭＡＣメッセージを送信するように構成されている送受信機と
を備えたことを特徴とするＩＥＥＥ８０２．１１アクセスポイント（ＡＰ）。
【請求項８】
前記ＡＰ候補リストは、各ＡＰ候補の周波数チャネルを示していることを特徴とする請求項７に記載のＩＥＥＥ８０２．１１ＡＰ。
【請求項９】
前記ＡＰ候補リストは、ＡＰ候補ごとに、そのＡＰのチャネル占有時間を示していることを特徴とする請求項７に記載のＩＥＥＥ８０２．１１ＡＰ。
【請求項１０】
前記送受信機は、前記ＢＳＳ候補リストに関連付けられている有効期限を送信するように構成されていることを特徴とする請求項７に記載のＩＥＥＥ８０２．１１ＡＰ。
【請求項１１】
前記ＡＰ候補リストは、ＭＡＣフレームの本体で送信されることを特徴とする請求項７に記載のＩＥＥＥ８０２．１１ＡＰ。
【請求項１２】
前記送受信機は、前記ＡＰ候補リストの要求を受信するように構成されており、前記ＭＡＣメッセージは、前記受信された要求に応答して送信されることを特徴とする請求項７に記載のＩＥＥＥ８０２．１１ＡＰ。
【請求項１３】
基本サービスセット（ＢＳＳ）候補リストを受信するように構成されている送受信機と、
ＢＳＳ選択を実行するためのＢＳＳ候補リストであって、各ＢＳＳ候補の識別と、前記ＢＳＳ候補が選択に好ましい範囲、および前記ＢＳＳ候補が選択に考慮されるべきではないかどうかを示す選好インジケータとを含むＢＳＳ候補リストを受信するように構成されているメディアアクセスコントローラ（ＭＡＣ）と
を備えたことを特徴とする無線ローカルエリアネットワーク（ＷＬＡＮ）無線送受信ユニット（ＷＴＲＵ）。
【請求項１４】
前記ＢＳＳ候補リストは、各ＢＳＳ候補の周波数チャネルを示していることを特徴とする請求項１３に記載のＷＬＡＮ  ＷＴＲＵ。
【請求項１５】
前記ＢＳＳ候補リストは、ＢＳＳ候補ごとに、そのＢＳＳのチャネル占有時間を示していることを特徴とする請求項１３に記載のＷＬＡＮ  ＷＴＲＵ。
【請求項１６】
前記送受信機は、前記ＢＳＳ候補リストに関連付けられている有効期限を受信するように構成されていることを特徴とする請求項１３に記載のＷＬＡＮ  ＷＴＲＵ。
【請求項１７】
前記ＢＳＳ候補リストは、ＭＡＣフレームの本体で受信されることを特徴とする請求項１３に記載のＷＬＡＮ  ＷＴＲＵ。
【請求項１８】
前記送受信機は、前記ＢＳＳ候補リストの要求を送信するように構成されており、前記ＢＳＳ候補リストは、前記送信された要求に応答して受信されることを特徴とする請求項１３に記載のＷＬＡＮ  ＷＴＲＵ。
【請求項１９】
メディアアクセス制御（ＭＡＣ）メッセージを受信するように構成されている送受信機と、
アクセスポイント（ＡＰ）選択を実行するためのアクセスポイント（ＡＰ）候補リストであって、各ＡＰの識別と、前記ＡＰ候補が選択に好ましい範囲、および前記ＡＰ候補が選択に考慮されるべきではないかどうかを示す選好インジケータとを含むＡＰ候補リストを有するＭＡＣメッセージを受信するように構成されているＭＡＣメッセージ受信機と
を備えたことを特徴とするＩＥＥＥ８０２．１１局。
【請求項２０】
前記ＡＰ候補リストは、各ＡＰ候補の周波数チャネルを示していることを特徴とする請求項１９に記載のＩＥＥＥ８０２．１１局。
【請求項２１】
前記ＡＰ候補リストは、ＡＰ候補ごとに、そのＡＰのチャネル占有時間を示していることを特徴とする請求項１９に記載のＩＥＥＥ８０２．１１局。
【請求項２２】
前記送受信機は、前記ＡＰ候補リストに関連付けられている有効期限を受信するように構成されていることを特徴とする請求項１９に記載のＩＥＥＥ８０２．１１局。
【請求項２３】
前記ＡＰ候補リストは、ＭＡＣフレームの本体で受信されることを特徴とする請求項１９に記載のＩＥＥＥ８０２．１１局。
【請求項２４】
前記送受信機は、前記ＡＰ候補リストの要求を送信するように構成されており、前記ＭＡＣメッセージは、前記送信された要求に応答して受信されることを特徴とする請求項１９に記載のＩＥＥＥ８０２．１１局。
【請求項２５】
無線送受信ユニット（ＷＴＲＵ）でメディアアクセス制御（ＭＡＣ）メッセージ内の基本サービスセット（ＢＳＳ）候補リストであって、各ＢＳＳ候補の識別と、前記ＢＳＳ候補が選択に好ましい範囲、およびそのＢＳＳ候補が選択に考慮されるべきではないかどうかを示す選好インジケータとを含むＢＳＳ候補リストを受信するステップと、
前記ＢＳＳ候補リストを使用して、前記ＷＴＲＵによってＢＳＳを選択するステップと
を備えたことを特徴とする無線ローカルエリアネットワーク（ＷＬＡＮ）で使用する方法。
【請求項２６】
前記ＢＳＳ候補リストは、各ＢＳＳ候補の周波数チャネルを示していることを特徴とする請求項２５に記載の方法。
【請求項２７】
前記ＢＳＳ候補リストは、ＢＳＳ候補ごとに、そのＢＳＳのチャネル占有時間を示していることを特徴とする請求項２５に記載の方法。
【請求項２８】
前記ＷＴＲＵによって前記ＢＳＳ候補リストに関連付けられている有効期限を受信するステップをさらに備えたことを特徴とする請求項２５に記載の方法。
【請求項２９】
前記ＢＳＳ候補リストは、ＭＡＣフレームの本体で受信されることを特徴とする請求項２５に記載の方法。
【請求項３０】
前記ＢＳＳ候補リストの要求を送信するステップをさらに備え、前記ＢＳＳ候補リストは、前記送信された要求に応答して受信されることを特徴とする請求項２５に記載の方法。
【国際調査報告】
2008541626.tif 000010